(57)【要約】      （修正有）【課題】飛沫やウィルスが飛散して顔面に付着するのを防ぐとともに、良好なはめ心地を実現することができる顔面保護具を提供する。【解決手段】装着者の後頭部から側頭部を経て前頭部に向けて略Ｕ字状に張り出す略Ｕ字状の本体フレーム２と、略Ｕ字状の本体フレームの外側に配置されて装着者の顔面の全部又は一部を保護するシールド部材１と、シールド部材を保持するシールドフレーム３とを備え、当該シールドフレームを本体フレームに取り付ける取付部を回動中心としてシールドフレームは回動可能であり、略Ｕ字状の本体フレームを頭部に装着するために本体フレームの後頭部側の一方と他方を結ぶ紐状体５を有し、本体フレームを頭部の大きさに合わせて装着することが可能なように、本体フレームの後頭部側の一方２ａと他方２ｂの距離を調節する距離調節部材６を紐状体が備える。【選択図】図１
0003232605.tif 000002
【実用新案登録請求の範囲】
【請求項１】
装着者の後頭部から側頭部を経て前頭部に向けて略Ｕ字状に張り出す略Ｕ字状の本体フレームと、上記略Ｕ字状の本体フレームの外側に配置されて装着者の顔面の全部又は一部を保護するシールド部材と、当該シールド部材を保持するシールドフレームとを備え、当該シールドフレームを本体フレームに取り付ける取付部を回動中心としてシールドフレームは回動可能であり、上記略Ｕ字状の本体フレームを頭部に装着するために本体フレームの後頭部側の一方と他方を結ぶ紐状体を有し、上記本体フレームを頭部の大きさに合わせて装着することが可能なように、上記本体フレームの後頭部側の一方と他方の距離を調節する距離調節部材を紐状体が備えることを特徴とする顔面保護具。
【請求項２】
本体フレームの内側に疎水性のパッドが貼着されていることを特徴とする請求項1に記載の顔面保護具。
【請求項３】
装着者の左側頭部に沿うことが可能な形状を有する左側フレーム体と、装着者の右側頭部に沿うことが可能な形状を有する右側フレーム体と、左レンズ及び右レンズを取り付けることが可能な前面フレームとからなるフレーム部材と、上記フレーム部材の外側に配置されて装着者の顔面の全部又は一部を保護するシールド部材とを備え、上記左側フレーム体及び右側フレーム体と前面フレームとからなるフレーム部材はメガネのフレーム形状に類似する略メガネフレーム状であって、上記シールド部材を左側フレーム体及び右側フレーム体に取り付けたことを特徴とする顔面保護具。
【考案の詳細な説明】
【技術分野】
【０００１】
本考案は顔面保護具に関し、特に、飛沫やウィルスが飛散して顔面に付着するのを防ぐために、顔面の全体又は一部を保護するための顔面保護具に関する。
【背景技術】
【０００２】
従来より、医療や介護等の分野において、血液、分泌液、唾液、おう吐物等の感染源や水、薬液等の液体から顔面の全体又は一部を保護するためのシールド部材を具備する顔面保護具が知られている。
【０００３】
例えば、特許文献１には、図６に示すような顔面保護具２１が開示されている。図６に示す顔面保護具２１は、顔面の全部又は一部を保護するシールド２２と、頭部に装着される本体フレーム２３と、本体フレーム２３の外側に配置され、シールド２２を保持するシールドフレーム２４とを備えている。本体フレーム２３は、前頭部から側頭部に亘って両側後頭部まで延びるブリッジアーム２５と、ブリッジアーム２５の両端部に設けられ後頭部を支持する第１支持部２５ａと、ブリッジアーム２５の側頭部に対応する部分から前頭部方向に分岐して、ブリッジアーム２５の内側に配置される一対のヘッドアーム２６と、ヘッドアーム２６の先端部にそれぞれ設けられ、前頭部を支持する第２支持部２６ａとを具備し、ブリッジアーム２５及びヘッドアーム２６は、頭部に対応する形状を有するとともに弾性変形可能に構成されており、これらの弾性変形力によって頭部に支持される構造を有している。本体フレーム２３の左右にはシールドフレーム２４が取り付けられる取り付け部２７がそれぞれ設けられ、シールドフレーム２４は前頭部に対応する形状を有しており、シールド２２を保持する保持部２８が両端側に設けられている。本体フレーム２３はシールドフレーム２４の両端側のそれぞれと軸部材によって連結されており、シールドフレーム２４は、当該軸部材を中心として回動可能に構成されている。
【０００４】
また、特許文献２には、図７に示すような顔面保護具３１が開示されている。図７に示す顔面保護具３１は、野球帽型の鍔付き帽子３２の左右側部に対してそれぞれ装着される一対の挟持具３３、３３と、左右の挟持具３３、３３に対して回動可能に吊り下げられた透光カバー３４とを備え、透光カバー３４は湾曲している係止片３５によって帽子３２の鍔部３６の先端部に係止される構造を有している。
【０００５】
さらに、特許文献３には、図８に示すような顔面シールド４１が開示されている。図８に示す顔面シールド４１は、鼻、口及び顎の一部を覆う顔面マスク４２と、顔面マスク４２に結合しているアイシールド４３を備え、アイシールド４３は眼の中に流体が飛散するのを防ぐ一方、透明な上部４４を有しており、着用者の視界が遮られることがないように構成され、顔面マスク４２は防曇特性を保有するために透過性を有する上部４５を備え、顔面マスク４２はつり紐４６と結び紐４７によって着用者に取り付けられる。
【０００６】
また、特許文献４には、図９に示すような呼吸保護マスク５１が開示されている。図９に示す呼吸保護マスク５１は、顔に接触するように構成されるシールフェイスピース要素５２と、シールフェイスピース要素５２と結合するように構成されるとともに吸気弁５３および呼気弁５４が装着される弁座５５と、シールフェイスピース要素５２および弁座５５の前部を覆うヨーク５６と、保護マスク５１を頭部に固定するためにヨーク５６のループ５７に接続されるストラップ５８を有している。
【先行技術文献】
【特許文献】
【０００７】
【特許文献１】特開２０１８−１５８１１９号公報
【特許文献２】特開２００５−０８１０６１号公報
【特許文献３】特開平７−１７８１１７号公報
【特許文献４】特開２０１９−１６６４１１号公報
【考案の概要】
【考案が解決しようとする課題】
【０００８】
しかしながら、図６に示す特許文献１に開示された顔面保護具２１は、ブリッジアーム２５とヘッドアーム２６によって頭部に固定する方式であるが、頭部の大きさには個人差があるため、装着安定性を確保するのが困難で、良好なはめ心地を実現することができない。
また、図７に示す特許文献２に開示された顔面保護具３１は、鍔付き帽子３２の存在を前提とするものであるため、使用態様が制約される。
さらに、図８に示す特許文献３に開示された顔面シールド４１は、鼻と口が顔面マスク４２で覆われるので、はめ心地が良くない。
そして、図９に示す特許文献４に記載された呼吸保護マスク５１も鼻、口及び顎を覆うので、はめ心地が良くない。
【０００９】
本考案は、上記課題を解決するためになされたものであり、その目的は、飛沫やウィルスが飛散して顔面に付着するのを防ぐとともに、良好なはめ心地を実現することができる顔面保護具を提供することにある。
【課題を解決するための手段】
【００１０】
本考案者は、前記課題を解決するために鋭意検討をおこなった結果、次のような手段を採用するものである。
（１）第一の考案の顔面保護具は、装着者の後頭部から側頭部を経て前頭部に向けて略Ｕ字状に張り出す略Ｕ字状の本体フレームと、上記略Ｕ字状の本体フレームの外側に配置されて装着者の顔面の全部又は一部を保護するシールド部材と、当該シールド部材を保持するシールドフレームとを備え、当該シールドフレームを本体フレームに取り付ける取付部を回動中心としてシールドフレームは回動可能であり、上記略Ｕ字状の本体フレームを頭部に装着するために本体フレームの後頭部側の一方と他方を結ぶ紐状体を有し、上記本体フレームを頭部の大きさに合わせて装着することが可能なように、上記本体フレームの後頭部側の一方と他方の距離を調節する距離調節部材を紐状体が備えることを特徴とする。
【００１１】
（２）第二の考案の顔面保護具は、第一の考案の本体フレームの内側に疎水性のパッドが貼着されていることを特徴とする。
【００１２】
（３）第三の考案の顔面保護具は、装着者の左側頭部に沿うことが可能な形状を有する左側フレーム体と、装着者の右側頭部に沿うことが可能な形状を有する右側フレーム体と、左レンズ及び右レンズを取り付けることが可能な前面フレームとからなるフレーム部材と、上記フレーム部材の外側に配置されて装着者の顔面の全部又は一部を保護するシールド部材とを備え、上記左側フレーム体及び右側フレーム体と前面フレームとからなるフレーム部材はメガネのフレーム形状に類似する略メガネフレーム状であって、上記シールド部材を左側フレーム体及び右側フレーム体に取り付けたことを特徴とする。
【考案の効果】
【００１３】
第一の考案の顔面保護具によれば、距離調節部材で本体フレームの後頭部側の一方と他方の距離を調節することにより、本体フレームを頭部の大きさに合わせて装着し、良好なはめ心地を実現することができる。また、装着者の顔面の全部又は一部を保護するシールド部材により、飛沫やウィルスが飛散して顔面に付着するのを防ぐことができる。第二の考案の顔面保護具によれば、本体フレームの内側に疎水性のパッドが貼着されているので、汗の付着による不快感がなく、一層良好なはめ心地を実現することができる。第三の考案の顔面保護具のフレーム部材はメガネのフレーム形状に類似する略メガネフレーム状であるから、あたかもメガネを装着するのと同様に、違和感もなく、良好なはめ心地を実現することができる。また、装着者の顔面の全部又は一部を保護するシールド部材により、飛沫やウィルスが飛散して顔面に付着するのを防ぐことができる。
【図面の簡単な説明】
【００１４】
【図１】図１は第一の考案の顔面保護具を示し、図１（ａ）はシールド部材の平面図、図１（ｂ）は内側に疎水性のパッドが貼着された本体フレームにシールドフレームを取り付けた状態を示す斜視図、図１（ｃ）は内側に疎水性のパッドが貼着されていない本体フレームにシールドフレームを取り付けた状態を示す斜視図、図１（ｄ）は第一の考案の顔面保護具を頭部に装着した使用状態を示す図である。
【図２】図２は、本体フレームの後頭部側の一方と他方の距離を調節する距離調節部材を紐状体が挿通している状態を示す図である。
【図３】図３は第三の考案の顔面保護具を示し、図３（ａ）はシールド部材の平面図、図３（ｂ）は左側フレーム体及び右側フレーム体と前面フレームとからなるフレーム部材の斜視図、図３（ｃ）は第三の考案の顔面保護具を頭部に装着した使用状態を示す図である。
【図４】図４（ａ）は第一又は第二の考案の顔面保護具を頭部に装着した状態を模式的に示す図、図４（ｂ）は第一又は第二の考案の顔面保護具を帽子に装着した状態を模式的に示す図、図４（ｃ）は第一又は第二の考案の顔面保護具をヘルメットに装着した状態を模式的に示す図である。
【図５】図５はシールドフレームの本体フレームへの取付部を回動中心としてシールドフレームが回動する状態を示す説明図である。
【図６】図６は、特許文献１に記載された顔面保護具の斜視図である。
【図７】図７は、特許文献２に記載された顔面保護具を帽子に装着した状態を示す斜視図である。
【図８】図８は、特許文献３に記載された顔面シールドを顔面に装着した状態を示す側面図である。
【図９】図９は、特許文献４に記載された呼吸保護マスクの斜視図である。
【考案を実施するための形態】
【００１５】
本考案の実施形態について、図面を参照しながら説明するが、本考案の技術的範囲を逸脱しない限り、様々な変更や修正が可能なことは言うまでもない。
【００１６】
図１（ａ）において、１は装着者の顔面の全部又は一部を保護するシールド部材である。シールド部材の材料としては、ポリエチレンテレフタレート、ポリプロピレン、ポリエチレン、塩化ビニル、アクリル系樹脂、ナイロン系樹脂、エポキシ系樹脂、ポリアセタール、ポリカーボネート等を用いることができる。シールド部材１の材料には防曇処理剤を添加したり、シールド部材１の両面に防曇処理剤を塗布することにより、防曇処理を施すことが好ましい。
【００１７】
図１（ｂ）において、２は装着者の後頭部から側頭部を経て前頭部に向けて略Ｕ字状に張り出す略Ｕ字状の本体フレーム、３はシールド部材１を保持するシールドフレーム、４は本体フレーム２の内側に貼着された疎水性のパッド、５は略Ｕ字状の本体フレーム２を頭部に装着するために本体フレーム２の後頭部側の一方２ａと他方２ｂを結ぶ紐状体、６は本体フレーム２の後頭部側の一方２ａと他方２ｂの距離を調節する距離調節部材である。紐状体５の素材は伸縮可能な材料が好ましく、例えば、合成ゴムを用いることができる。シールドフレーム３は本体フレーム２への取付部２０を回動中心として回動可能である（図５参照）。５ａは紐状体５の一方の端部側を収納する収納部材である。本体フレーム２、シールドフレーム３、疎水性のパッド４の材料としては、上記のように例示したシールド部材の材料と同じ材料であってもよく、異なる材料でもよい。
【００１８】
距離調節部材６による距離調節方法を図２に基づいて説明する。距離調節部材６は本体７と、本体７の円形の開口部７ａに配置されたスプリング８と、スプリング８に連結された押し下げピン９を有している。押し下げピン９は開口部１０ａと１０ｂを有しており、開口部１０ｂを２本の紐状体５が挿通している。スプリング８は紐状体５を上方に向けて付勢するので、図２に示す状態では、紐状体５は押し下げピン9と距離調節部材６の本体７で挟まれることにより、自由に移動できず、その位置に保持される。
【００１９】
すなわち、押し下げピン９をスプリング８に向けて押し下げることにより、開口部１０ａは狭くなり、開口部１０ｂは広くなるので、紐状体５は自由に移動できるようになる。そこで、押し下げピン９をスプリング８に向けて押し下げて開口部１０ｂを広くした状態において、押し下げピン９を図２の紙面に対して直上方向（手前側）に所定の距離だけ移動させた後、押し下げピン９から手を離せば、本体フレーム２の後頭部側の一方２ａと他方２ｂ（図１参照）の距離は現状より長くなって、紐状体５は押し下げピン9と距離調節部材６の本体７で挟まれることにより、自由に移動できず、その位置に保持される。
【００２０】
次に、押し下げピン９をスプリング８に向けて押し下げて開口部１０ｂを広くした状態において、押し下げピン９を図２の紙面に対して反対方向（向こう側）に所定の距離だけ移動させた後、押し下げピン９から手を離せば、本体フレーム２の後頭部側の一方２ａと他方２ｂ（図１参照）の距離は現状より短くなって、紐状体５は押し下げピン9と距離調節部材６の本体７で挟まれることにより、自由に移動できず、その位置に保持される。
【００２１】
以上のように、本体フレーム２の後頭部側の一方２ａと他方２ｂの距離を調節する距離調節部材６を操作することにより、本体フレーム２を頭部の大きさに合わせて装着することが可能である。
【００２２】
図１（ａ）に示すように、シールド部材１の上端部に４箇所の小さい孔１ａが設けられており、このシールド部材１の４箇所の小さい孔１ａに、図１（ｂ）に示すシールドフレーム３に設けられた小さい突起３ａを差し込むことにより、シールド部材１をシールドフレーム３に取り付けて、第一又は第二の考案の顔面保護具ＦＳ（face shield）を得て、図１（ｄ）に示すように、顔面保護具ＦＳを頭部に装着することができる。
【００２３】
図３（ａ）において、１１は装着者の顔面の全部又は一部を保護するシールド部材である。図３（ｂ）において、１２は装着者の左側頭部に沿うことが可能な形状を有する左側フレーム体、１３は装着者の右側頭部に沿うことが可能な形状を有する右側フレーム体、１４は左レンズ及び右レンズを取り付けることが可能な前面フレームである。図３（ｂ）に示すように、左側フレーム体１２、右側フレーム体１３及び前面フレーム１４とからなるフレーム部材１５はメガネのフレーム形状に類似する略メガネフレーム状である。
【００２４】
図３（ａ）に示すように、シールド部材１１の上部両端部に２箇所の小さい孔１１ａが設けられている。図３（ａ）に示すシールド部材１１の左側の小さい孔１１ａに、図３（ｂ）に示す左側フレーム体１２の有する嵌合部材１２ａの小さい突起１２ｂを差し込んで孔１２ｃで保持し、図３（ａ）に示すシールド部材１１の右側の小さい孔１１ａに、図３（ｂ）に示す右側フレーム体１３の有する嵌合部材１３ａの小さい突起１３ｂを差し込んで孔１３ｃで保持することにより、シールド部材１１を左側フレーム体１２及び右側フレーム体１３に取り付けて、第三の考案の顔面保護具ＧＳ（glasses shield）を得て、図３（ｃ）に示すように、顔面保護具ＧＳを頭部に装着することができる。
【００２５】
図４（ａ）は第一又は第二の考案の顔面保護具１６を頭部１７に装着した状態を模式的に示す図、図４（ｂ）は第一又は第二の考案の顔面保護具１６を帽子１８に装着した状態を模式的に示す図、図４（ｃ）は第一又は第二の考案の顔面保護具１６をヘルメット１９に装着した状態を模式的に示す図である。図５は、シールドフレーム３を本体フレーム２に取り付ける取付部２０を回動中心として、両矢印方向にシールドフレーム３が回動可能であることを示す説明図である。図５に示すように、本体フレーム２は緩やかに湾曲している曲面状の切り欠き部２ｃを左右に有しているので、この切り欠き部２ｃが耳輪外面の形状にうまく適応して、図１（ｄ）に示すように、顔面保護具ＦＳを違和感なく頭部に装着することができる。
【産業上の利用可能性】
【００２６】
本考案の顔面保護具は、飛沫やウィルスが飛散して顔面に付着するのを防ぐために、顔面の全体又は一部を保護するための器具として有用である。
【符号の説明】
【００２７】
１  シールド部材
２  本体フレーム
２ａ  本体フレーム２の一方
２ｂ  本体フレーム２の他方
２ｃ  切り欠き部
３  シールドフレーム
４  疎水性のパッド
５  紐状体
５ａ  収納部材
６  距離調節部材
７  本体
７ａ  開口部
８  スプリング
９  押し下げピン
１０ａ、１０ｂ  開口部
１１  シールド部材
１２  左側フレーム体
１３  右側フレーム体
１４  前面フレーム
１５  フレーム部材
１６  第一又は第二の考案の顔面保護具
１７  頭部
１８  帽子
１９  ヘルメット
２０  シールドフレームを本体フレームに取り付ける取付部
【図１】
0003232605.tif 000003
【図２】
0003232605.tif 000004
【図３】
0003232605.tif 000005
【図４】
0003232605.tif 000006
【図５】
0003232605.tif 000007
【図６】
0003232605.tif 000008
【図７】
0003232605.tif 000009
【図８】
0003232605.tif 000010
【図９】
0003232605.tif 000011